(57)【要約】      （修正有）【課題】遊技者が遊技にのめり込むことを容易に抑制することができるシステムを提供する。【解決手段】台間機用システムは、台間機の操作部を介して、所定期間における、遊技に関する制限の設定を受け付け、ユーザを特定するための情報を利用して、ユーザ毎の、所定期間における、遊技に関する制限を設定する。また、台間機がＩＤカードを受け付けて、ＩＤカードに基づいてユーザを特定し、遊技に関する制限および制限に関する現在の情報を台間機に表示する。遊技に関する制限に達すると、台間機のユーザに対して続行の許可を求め、台間機の表示部に、遊技に関する現在時点までの利用金額、時間、来店回数の少なくともいずれかに関する情報を表示する。【選択図】図１１
2019136235.tif 000002
【特許請求の範囲】
【請求項１】
台間機の操作部を介して、所定期間における、遊技に関する制限の設定を受け付ける、台間機用システム。
【請求項２】
前記ユーザを特定するための情報を利用して、当該ユーザ毎の、所定期間における、遊技に関する制限を設定する、請求項１に記載の台間機用システム。
【請求項３】
前記台間機がＩＤカードを受け付けて、当該ＩＤカードに基づいてユーザを特定する、請求項２に記載の台間機用システム。
【請求項４】
前記遊技に関する制限および当該制限に関する現在の情報を前記台間機に表示する、請求項１から３のいずれか１項に記載の台間機用システム。
【請求項５】
前記遊技に関する制限に達すると、前記台間機のユーザに対して続行の許可を求める、請求項１から４のいずれか１項に記載の台間機用システム。
【請求項６】
台間機の表示部に、遊技に関する現在時点までの利用金額、時間、来店回数の少なくともいずれかに関する情報を表示する、台間機用システム。
【発明の詳細な説明】
【技術分野】
【０００１】
本発明は、遊技台の間や近傍に配置される玉貸機やメダル貸機などの台間機の技術に関する。
【背景技術】
【０００２】
従来から、遊技台の間や近傍に配置される玉貸機やメダル貸機などの台間機が知られている。たとえば、特開２００６−１４８６６号公報（特許文献１）には、遊技用システムが開示されている。特許文献１によると、口座特定用記録媒体を使用して、会員用記録媒体から読み出した遊技用価値特定情報に基づいて特定される遊技用価値の大きさに加算更新する口座決済遊技用価値加算処理を行う入金装置と、遊技場外に設けられた集中管理装置とから成り、入金装置は、集中管理装置において、各会員遊技者が会員となっている各遊技場で前記口座決済遊技用価値加算処理にて加算更新した遊技用価値の大きさに、新たに加算更新しようとする加算価値の大きさとを合算した大きさが、設定された所定の上限値を超過していないと判断されたこと条件に、該加算価値の大きさの口座決済遊技用価値加算処理を実施する。
【０００３】
また、特開２０１７−１６４０２９号公報（特許文献２）には、遊技用装置が開示されている。特許文献２によると、貸出機は、本来残額がない状態では発行できない一般カードを、管理金額を設定していれば残額がなくとも発行するため、遊技者の遊技総額を一般カードに対心付けて特定し易くなる。これにより、会員登録を行っていない遊技者に対しても遊技総額に応じて特別報知を実行できる。この結果、会員登録を行っていない遊技者でも遊技にのめり込むことを抑制できる。
【先行技術文献】
【特許文献】
【０００４】
【特許文献１】特開２００６−１４８６６号公報
【特許文献２】特開２０１７−１６４０２９号公報
【発明の概要】
【発明が解決しようとする課題】
【０００５】
遊技者が遊技にのめり込むことを容易に抑制することができるシステムが求められている。そこで、本発明の目的は、遊技者が遊技にのめり込むことを容易に抑制することができるシステムを提供することにある。
【課題を解決するための手段】
【０００６】
この発明のある態様に従うと、台間機の操作部を介して、所定期間における、遊技に関する制限の設定を受け付ける、台間機用システムが提供される。
【発明の効果】
【０００７】
以上のように、本発明によれば、遊技者が遊技にのめり込むことを容易に抑制することができるシステムが提供される。
【図面の簡単な説明】
【０００８】
【図１】第１の実施の形態にかかる台間玉貸機１００の正面図である。
【図２】第１の実施の形態にかかる台間玉貸機１００の側面断面図である。
【図３】第１の実施の形態にかかる台間玉貸機１００の背面図である。
【図４】第１の実施の形態にかかる台間機用システム１のイメージ図である。
【図５】第１の実施の形態にかかるタッチパネル１３０の第１の画面例のイメージ図である。
【図６】第１の実施の形態にかかるサーバ３００の構成を示すブロック図である。
【図７】第１の実施の形態にかかる台間玉貸機データベース３２１を示すイメージ図である。
【図８】第１の実施の形態にかかる上限データベース３２２を示すイメージ図である。
【図９】第１の実施の形態にかかる現在情報データベース３２３を示すイメージ図である。
【図１０】第１の実施の形態にかかるタッチパネル１３０の第２の画面例のイメージ図である。
【図１１】第１の実施の形態にかかるタッチパネル１３０の第３の画面例のイメージ図である。
【図１２】第１の実施の形態にかかる台間玉貸機１００の情報処理を示すフローチャートである。
【図１３】第１の実施の形態にかかるサーバ３００の情報処理を示すフローチャートである。
【図１４】第２の実施の形態にかかるタッチパネル１３０の画面例のイメージ図である。
【図１５】第２の実施の形態にかかる台間玉貸機１００の情報処理を示すフローチャートである。
【図１６】第３の実施の形態にかかる第１の上限データベース３２２Ｂを示すイメージ図である。
【図１７】第３の実施の形態にかかる第２の上限データベース３２２Ｃを示すイメージ図である。
【図１８】第４の実施の形態にかかるタッチパネル１３０の画面例のイメージ図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜台間玉貸機１００の構成＞
【００１０】
まず、本実施の形態にかかる台間玉貸機１００の構成について説明する。図１は、本実施の形態にかかる台間玉貸機１００の正面図である。図２は、本実施の形態にかかる台間玉貸機１００の側面断面図である。
【００１１】
図１と図２とを参照して、台間玉貸機１００は、主に、状態表示ランプ１０１と、紙幣挿入口１０２と、紙幣識別機１１５と、タッチパネル１３０と、払い出しスイッチ１０４と、貸出ノズル１０５と、メンテナンスタグタッチセンサ１０６と、カード挿入排出口１０７と、カードリーダライタユニット１１７と、計数機１０８と、玉切りユニット１１６と、制御基板１１０と、外部接続基板１６０とを有する。
【００１２】
紙幣挿入口１０２には紙幣が挿入される。紙幣識別機１１５は紙幣を識別し、識別結果を制御基板１１０のＣＰＵ（Central Processing Unit）１１１に受け渡す。ＣＰＵ１１１は、同じく制御基板１１０のメモリ１１２にデータを蓄積したりデータを読み出したりする。ＣＰＵ１１１は、メンテナンスタグタッチセンサ１０６からの信号に基づいて、メンテナスモードに移行する。カード挿入排出口１０７は、会員カードやビジターカードを受け付ける。ＣＰＵ１１１は、カードリーダライタユニット１１７を利用して会員ＩＤカードやビジターカードからユーザの識別情報を読み出したり、計数機１０８からカウント結果を取得したり、貯玉や持ち玉に関する情報を外部接続基板１６０を介してサーバ３００と送受信したりする。ＣＰＵ１１１は、タッチパネル１３０に各種情報を表示させたり、各種命令を受け付けたりする。ＣＰＵ１１１は、払い出しスイッチ１０４からの信号に基づいて貸出ノズル１０５から玉を出力する。
【００１３】
なお、これらの各部は、その全てが台間玉貸機１００に搭載される必要があるわけではなく、たとえば貸出ノズル１０５は無くてもよく、遊技台２００などの他の装置から玉を出力してもよい。
【００１４】
図３は、本実施の形態にかかる台間玉貸機１００の背面図である。図３を参照して、外部接続基板１６０には、社内ＬＡＮ（Local Area Network）やＷＡＮ（Wide Area Network）を介してサーバ３００などの他の装置と通信するための接続コネクタ１６１が設けられる。また、外部接続基板１６０には、対応する遊技台と通信するための接続コネクタ１６３も設けられている。
＜台間機用システム１の構成＞
【００１５】
次に、本実施の形態にかかる台間機用システム１の構成について説明する。図４は、本実施の形態にかかる台間機用システム１のイメージ図である。図４を参照して、台間機用システム１は、複数の遊技台２００，２００・・・と、それらの間に設置される複数の台間玉貸機１００，１００・・・と、台間玉貸機１００，１００・・・と通信可能なサーバ３００とを含む。
【００１６】
そして、台間玉貸機１００の制御基板１１０のＣＰＵ１１１は、遊技者が遊技台２００で遊技中にタッチパネル１３０を介してユーザから所定の命令を受け付けると、タッチパネル１３０に図５（Ａ）に示すようなメニュー画面を表示させる。ユーザが遊技に関する上限値を設定するために上限申告ボタン１３１を押した場合、ＣＰＵ１１１は、申告された上限に達していないときは図５（Ｂ）のような画面をタッチパネル１３０に表示させ、申告された上限に達したときは図５（Ｃ）のような画面をタッチパネル１３０に表示させる。
【００１７】
より詳細には、ＣＰＵ１１１は、サーバ３００からの情報に基づいて、申告された上限に達していないときは、図５（Ｂ）に示すように、利用金額に関する上限値と現在の累積額と遊技時間に関する上限値と現在の累積時間と当月の来店回数の上限値と累積来店回数などをタッチパネル１３０に表示させる。一方、申告された上限に達しているときは、ＣＰＵ１１１は、サーバ３００からの情報に基づいて、図５（Ｃ）に示すように、利用金額に関する上限値と現在の累積額と遊技時間に関する上限値と現在の累積時間と当月の来店回数の上限値と累積来店回数などとともに、上限値に達した旨の警告メッセージをタッチパネル１３０に表示させる。
【００１８】
特に、本実施の形態にかかる台間機用システム１においては、ユーザは、遊技に関する各種の上限値を台間玉貸機１００に入力することができるものである。これによって、遊技者が遊技にのめり込むことを容易に抑制することができるものである。以下、このような機能を実現するための台間機用システム１のサーバ３００について説明する。
＜台間機用システム１のサーバ３００＞
【００１９】
以下、このような機能を実現するための台間機用システム１のサーバ３００について説明する。まず、図６を参照して、本実施の形態にかかるサーバ３００は、主に、ＣＰＵ（Central Processing Unit）３１０、メモリ３２０、操作部３３０、通信インターフェイス３６０などを有する。なお、サーバ３００は、遊技台２００，２００・・・や台間玉貸機１００，１００・・・が配置される店舗内に配置されるものであってもよいし、店舗外に配置されてインターネットやキャリア網を介して遠隔から台間玉貸機１００，１００・・・と通信するものであってもよい。
【００２０】
ＣＰＵ３１０は、メモリ３２０に格納されているプログラムを実行し、メモリ３２０や他のデータベースのデータを参照することによって各種の処理を実行する。
【００２１】
メモリ３２０は、各種のＲＡＭ（Random  Access  Memory）、各種のＲＯＭ（Read-Only  Memory）などによって実現され、サーバ３００に内包されているものであってもよいし、サーバ３００の各種インターフェイスに着脱可能なものであってもよいし、サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、その他の本実施の形態にかかるサービスに利用されるデータベースなどを記憶する。
【００２２】
たとえば、メモリ３２０は、図７に示すような台間玉貸機データベース３２１を記憶する。台間玉貸機データベース３２１は、台間玉貸機１００毎に、台間玉貸機１００の識別情報と、台間玉貸機１００が配置される店舗の識別情報と、台間玉貸機１００が属する列や島の識別情報と、台間玉貸機１００に対応する遊技台２００の識別情報と、台間玉貸機１００に対応する遊技台２００の種類の識別情報と、現在使用中の遊技者の識別情報などの対応関係を格納する。
【００２３】
なお、ここで、台間玉貸機１００，１００・・・の属する列や島とは、サーバ３００の管理者が列ＩＤを設定することによって自由に定義できるものである。たとえば、実際に遊技台２００の正面視において左右方向に並んでいる複数の台間玉貸機１００，１００を列に設定してもよいし、実際にまとまって配置されている複数の台間玉貸機１００，１００を島に設定してもよいし、同じ種類の台間玉貸機１００，１００・・・を１つの列や島に設定したりすることもできる。
【００２４】
また、メモリ３２０は、図８に示すような上限データベース３２２を記憶する。上限データベース３２２は、ユーザまたは台間玉貸機１００毎に、会員ＩＤカードに対応付けられたユーザの識別情報と、申告された一日の上限金額と、申告された一月の上限金額と、申告された一日の上限時間と、申告された一月の上限時間と、申告された一月の上限来店回数などの対応関係を格納する。
【００２５】
また、メモリ３２０は、図９に示すような現在情報データベース３２３を記憶する。現在情報データベース３２３は、会員などのユーザ毎に、会員ＩＤカードに対応付けられたユーザの識別情報と、当日の利用金額と、当月の利用金額と、当日の遊技時間と、当月の遊技時間と、当月の累積来店回数などの対応関係を格納する。
【００２６】
図６に戻って、操作部３３０は、店舗の管理者などの各種命令を受け付けて、当該命令をＣＰＵ３１０に入力する。
【００２７】
通信インターフェイス３６０は、ＣＰＵ３１０からのデータを、ＬＡＮやインターネットやキャリア網やルータなどを介して、台間玉貸機１００，１００・・・などの他の装置に送信する。逆に、通信インターフェイス３６０は、ＬＡＮやインターネットやキャリア網やルータなどを介して、台間玉貸機１００，１００・・・などの他の装置からのデータを受信してＣＰＵ３１０に受け渡す。
＜台間機用システム１の情報処理＞
【００２８】
次に、台間機用システム１の情報処理について説明する。遊技者は、図１０（Ａ）に示すように、台間玉貸機１００のメニュー画面から遊技上限申告ボタン１３１を押すことによって、上限申告画面に移行することができる。台間玉貸機１００のＣＰＵ１１１は、図１０（Ｂ）に示すように、自己申告プログラムの説明や、当日上限設定ボタン１３２をタッチパネル１３０に表示させる。
【００２９】
図１１（Ａ）に示すように、遊技者が、当日上限設定ボタン１３２を押すと、ＣＰＵ１１１は、図１１（Ｂ）に示すように、利用金額の当日上限設定画面をタッチパネル１３０に表示させる。遊技者が利用金額の上限を入力して次へボタン１３３を押すと、ＣＰＵ１１１は、図１１（Ｃ）に示すように、遊技時間の当日上限設定画面をタッチパネル１３０に表示させる。遊技者が遊技時間の上限を入力して確定ボタン１３４を押すと、ＣＰＵ１１１は、通信インターフェイス１６０を介してサーバ３００に、入力された各種の上限値のデータを、カードリーダライタユニット１１７で読み取った会員ＩＤカードの識別情報とともに送信する。
【００３０】
すなわち、本実施の形態にかかる台間玉貸機１００のＣＰＵ１１１は、上限申告画面に移行すると、図１２に示す情報処理を実行する。まず、ユーザが当日上限設定ボタン１３２を押すと（ステップＳ０１０にてＹＥＳである場合）、ＣＰＵ１１１は、図１１の（Ｂ）に示すような利用金額設定画面を表示して、タッチパネル１３０を介して当日の利用金額の上限値の入力を受け付ける（ステップＳ０１２）。ユーザが次へボタン１３３を押すと（ステップＳ０１４にてＹＥＳである場合）、ＣＰＵ１１１は、図１１の（Ｃ）に示すような遊技時間設定画面を表示して、タッチパネル１３０を介して当日の遊技時間の上限値の入力を受け付ける（ステップＳ０１６）。ユーザが確定ボタン１３４を押すと（ステップＳ０１８にてＹＥＳである場合）、ＣＰＵ１１１は、入力された利用金額と遊技時間の上限値を、会員ＩＤカードの識別情報とともに、通信インターフェイス１６０を介してサーバ３００に送信する（ステップＳ０３８）。
【００３１】
これによって、サーバ３００のＣＰＵ３１０は、台間玉貸機１００に入力された各種の上限値のデータを、会員ＩＤカードのユーザの識別情報に対応付けて、上限データベース３２２に登録する。台間玉貸機１００のＣＰＵ１１１は、サーバ３００からの設定完了通知を受けて、図１１（Ｄ）に示すように、申告された一日の上限金額や、申告された一月の上限金額や、申告された一日の上限時間や、申告された一月の上限時間や、申告された一月の上限来店回数や、当日の利用金額や、当月の利用金額や、当日の遊技時間や、当月の遊技時間や、当月の累積来店回数などをタッチパネル１３０に表示させる。
【００３２】
なお、本実施の形態の台間機用システム１においては、一月の上限金額や、一月の上限時間や、一月の上限来店回数などは、店員などを介して直接サーバ３００に登録するように構成されている。
【００３３】
これ以降、台間玉貸機１００のＣＰＵ１１１は、たとえば、遊技者が紙幣を投入する度や玉を貸し出す度にその旨をサーバ３００に送信する。サーバ３００のＣＰＵ３１０は、台間玉貸機１００からのデータに基づいて、現在情報データベース３２３の当日の利用金額や当月の利用金額を更新する。
【００３４】
また、台間玉貸機１００のＣＰＵ１１１は、たとえば、遊技者が遊技を継続している間に定期的にその旨をサーバ３００に送信する。サーバ３００のＣＰＵ３１０は、台間玉貸機１００からのデータに基づいて、現在情報データベース３２３の当日の遊技時間や当月の遊技時間を更新する。
【００３５】
本実施の形態にかかるサーバ３００のＣＰＵ３１０は、台間玉貸機１００からのアクセスがあった場合に、図１３に示す情報処理を実行する。すなわち、ＣＰＵ３１０は、台間玉貸機１００から受信したデータから、会員ＩＤカードに記憶されているユーザの識別情報を取得する（ステップＳ１０２）。ＣＰＵ３１０は、上限データベース３２２を参照して、対象となるユーザの上限値が申告されているか否かを判断する（ステップＳ１０４）。対象となるユーザの上限値が申告されていない場合は、ＣＰＵ３１０は、通信インターフェイス３６０を介して台間玉貸機１００に、上限値が申告されていない旨を送信する（ステップＳ１２６）。
【００３６】
上限値が申告されている場合（ステップＳ１０４にてＹＥＳである場合）、ＣＰＵ３１０は、上限データベース３２２から、対象となるユーザの一日の上限の利用金額を読み出す（ステップＳ１０６）。ＣＰＵ３１０は、現在情報データベース３２３から、対象となるユーザの当日の累積利用金額を読み出す（ステップＳ１０８）。ＣＰＵ３１０は、上限データベース３２２から、対象となるユーザの一月の上限の利用金額を読み出す（ステップＳ１１０）。ＣＰＵ３１０は、現在情報データベース３２３から、対象となるユーザの当月の累積利用金額を読み出す（ステップＳ１１２）。
【００３７】
さらに、ＣＰＵ３１０は、上限データベース３２２から、対象となるユーザの一日の上限の遊技時間を読み出す（ステップＳ１１４）。ＣＰＵ３１０は、現在情報データベース３２３から、対象となるユーザの当日の累積遊技時間を読み出す（ステップＳ１１６）。ＣＰＵ３１０は、上限データベース３２２から、対象となるユーザの一月の上限の遊技時間を読み出す（ステップＳ１１８）。ＣＰＵ３１０は、現在情報データベース３２３から、対象となるユーザの当月の累積遊技時間を読み出す（ステップＳ１２０）。
【００３８】
さらに、ＣＰＵ３１０は、上限データベース３２２から、対象となるユーザの一月の上限の来店回数を読み出す（ステップＳ１２２）。ＣＰＵ３１０は、現在情報データベース３２３から、対象となるユーザの当月の累積来店回数を読み出す（ステップＳ１２４）。
【００３９】
ＣＰＵ３１０は、通信インターフェイス３６０を介して、読み出した各種の上限値と各種の現在の数値とを台間玉貸機１００に送信する（ステップＳ１２６）。なお、このときに、ＣＰＵ３１０は、利用金額や遊技時間と上限値とを比較して、利用金額や遊技時間が上限値に達しているか否かを判断することが好ましい。利用金額や遊技時間が上限値に達している場合には、ＣＰＵ３１０は、その旨の警告も台間玉貸機１００に送信することが好ましい。
【００４０】
これによって、台間玉貸機１００のＣＰＵ１１１は、当該データを受信して、図５に示すように、各種の上限値と各種の現在の数値と、場合によっては上限値に達した旨の警告情報とを表示する。
＜第２の実施の形態＞
【００４１】
上記の実施の形態においては、申告された一月の上限金額や、申告された一月の上限時間や、申告された一月の上限来店回数などは、店員などを介して直接サーバ３００に登録するように構成されているが、それらの上限値も台間玉貸機１００で設定できてもよい。すなわち、図１４（Ａ）に示すように、台間玉貸機１００のＣＰＵ１１１は、自己申告プログラムの説明や、当日上限設定ボタン１３２や当月上限設定ボタン１３６をタッチパネル１３０に表示させる。
【００４２】
遊技者が、当月上限設定ボタン１３６を押すと、ＣＰＵ１１１は、図１４（Ｂ）に示すように、金額の当月上限設定画面をタッチパネル１３０に表示させる。遊技者が利用金額の当月上限値を入力して次へボタン１３３を押すと、ＣＰＵ１１１は、図１４（Ｃ）に示すように、時間の当月上限設定画面をタッチパネル１３０に表示させる。遊技者が遊技時間の当月上限値を入力して確定ボタン１３４を押すと、ＣＰＵ１１１は、通信インターフェイス１６０を介してサーバ３００に、入力された上限設定値のデータを、カードリーダライタユニット１１７で読み取った会員ＩＤカードのユーザの識別情報とともに送信する。
【００４３】
すなわち、台間玉貸機１００のＣＰＵ１１１は、上限申告画面に移行すると、図１５に示す情報処理を実行する。まず、ユーザが当日上限設定ボタン１３２を押すと（ステップＳ０１０にてＹＥＳである場合）、ＣＰＵ１１１は、利用金額設定画面を表示して、タッチパネル１３０を介して当日の利用金額の上限値の入力を受け付ける（ステップＳ０１２）。ユーザが次へボタン１３３を押すと（ステップＳ０１４にてＹＥＳである場合）、ＣＰＵ１１１は、遊技時間設定画面を表示して、タッチパネル１３０を介して当日の遊技時間の上限値の入力を受け付ける（ステップＳ０１６）。ユーザが確定ボタン１３４を押すと（ステップＳ０１８にてＹＥＳである場合）、ＣＰＵ１１１は、入力された利用金額と遊技時間の上限値を、通信インターフェイス１６０を介してサーバ３００に送信する（ステップＳ０３８）。
【００４４】
ステップＳ０１０においてＮＯである場合、ユーザが当月上限設定ボタン１３６を押すと（ステップＳ０２０にてＹＥＳである場合）、ＣＰＵ１１１は、利用金額設定画面を表示して、タッチパネル１３０を介して当月の利用金額の上限値の入力を受け付ける（ステップＳ０２２）。ユーザが次へボタン１３３を押すと（ステップＳ０２４にてＹＥＳである場合）、ＣＰＵ１１１は、遊技時間設定画面を表示して、タッチパネル１３０を介して当月の遊技時間の上限値の入力を受け付ける（ステップＳ０２６）。ユーザが確定ボタン１３４を押すと（ステップＳ０２８にてＹＥＳである場合）、ＣＰＵ１１１は、入力された利用金額と遊技時間の上限値を、通信インターフェイス１６０を介してサーバ３００に送信する（ステップＳ０３８）。
【００４５】
ステップＳ０２０においてＮＯである場合、ユーザが来店回数設定ボタン１３７を押すと（ステップＳ０３０にてＹＥＳである場合）、ＣＰＵ１１１は、来店回数設定画面を表示して、タッチパネル１３０を介して当月の来店回数の上限値の入力を受け付ける（ステップＳ０３２）。ユーザが確定ボタン１３４を押すと（ステップＳ０３４にてＹＥＳである場合）、ＣＰＵ１１１は、入力された来店回数の上限値を、通信インターフェイス１６０を介してサーバ３００に送信する（ステップＳ０３８）。
【００４６】
これによって、サーバ３００のＣＰＵ３１０は、台間玉貸機１００に入力された上限設定値のデータを、会員ＩＤカードのユーザの識別情報に対応付けて、上限データベース３２２に登録する。これによって、台間玉貸機１００のＣＰＵ１１１は、サーバ３００からの設定完了通知に基づいて、図１４（Ｄ）に示すように、申告された一日の上限金額や、申告された一月の上限金額や、申告された一日の上限時間や、申告された一月の上限時間や、申告された一月の上限来店回数や、当日の利用金額や、当月の利用金額や、当日の遊技時間や、当月の遊技時間や、当月の累積来店回数などをタッチパネル１３０に表示させる。
＜第３の実施の形態＞
【００４７】
上記の実施の形態においては、ユーザ毎に各種上限値が設定されるものであった。すなわち、会員専用のＩＤカードやＩＣタグを利用したり、ユーザＩＤやパスワードなどを入力したりする必要があるものであった。しかしながら、単にビジターカードに対して各種の上限値が設定されてもよい。なお、ビジターカードは、当日のみ利用可能なカードであって、持ち玉などを後日に持ち越すことができないカードである。
【００４８】
すなわち、メモリ３２０は、図１６に示すような上限データベース３２２Ｂを記憶する。上限データベース３２２Ｂは、カード毎に、カードの識別情報と、申告された一日の上限金額と、申告された一月の上限金額と、申告された一日の上限時間と、申告された一月の上限時間と、申告された一月の上限来店回数と、当日の利用金額と、当月の利用金額と、当日の遊技時間と、当月の遊技時間と、当月の累積来店回数などの対応関係を格納する。これによって、台間玉貸機１００からのカードＩＤに応じて、サーバ３００のＣＰＵ３１０は図１３に示すような情報処理を実行し、その結果、台間玉貸機１００のＣＰＵ１１１が各種の上限値と各種の現在の数値をタッチパネル１３０に表示させる。
【００４９】
あるいは単に台間玉貸機１００に対応付けて各種の上限値が設定されてもよい。すなわち、メモリ３２０は、図１７に示すような上限データベース３２２Ｃを記憶する。上限データベース３２２Ｂは、台間玉貸機１００毎に、台間玉貸機１００の識別情報と、申告された一日の上限金額と、申告された一月の上限金額と、申告された一日の上限時間と、申告された一月の上限時間と、申告された一月の上限来店回数と、当日の利用金額と、当月の利用金額と、当日の遊技時間と、当月の遊技時間と、当月の累積来店回数などの対応関係を格納する。これによって、台間玉貸機１００の識別情報に応じて、サーバ３００のＣＰＵ３１０は図１３に示すような情報処理を実行し、その結果、台間玉貸機１００のＣＰＵ１１１が各種の上限値と各種の現在の数値をタッチパネル１３０に表示させる。
＜第４の実施の形態＞
【００５０】
なお、図５（Ｃ）の上限値に達した旨の警告情報の表示に関しては、台間玉貸機１００のＣＰＵ１１１は、図１８に示すように、そのまま遊技を続行するためのボタン１３８をタッチパネル１３０に表示させるものであってもよい。ＣＰＵ１１１は、タッチパネル１３０を介して遊技を続行するための命令を受け付けると遊技を継続させる。
【００５１】
あるいは、ＣＰＵ１１１は、タッチパネル１３０を介して遊技を続行するための命令を受け付けると、予め会員毎に設定されているパスワードを入力した際に遊技を継続させてもよい。つまり、パスワードの認証に成功するまでは、遊技の継続を禁止してもよい。
【００５２】
あるいは、ＣＰＵ１１１は、タッチパネル１３０を介して遊技を続行するための命令を受け付けると、図１４（Ａ）に示すような、上限値の設定用の画面に推移してもよい。そして、上限値がさらに上げられた場合にのみ、ＣＰＵ１１１は、新たな上限値に達するまで遊技を再開させてもよい。
＜第５の実施の形態＞
【００５３】
上記の技術は、利用金額や遊技時間や来店回数以外にも適用することができる。たとえば、使用した玉数や連続遊技時間などに適用することもできる。さらには、台間玉貸機１００に限らず、台間メダル貸機などにも適用可能である。
＜第６の実施の形態＞
【００５４】
上記の実施の形態の台間機用システム１の各装置の役割の一部または全部を他の装置が実行してもよい。たとえば、台間玉貸機１００やサーバ３００の各々の役割の一部または全部を別の装置が担ったり、台間玉貸機１００やサーバ３００の各々の役割の一部または全部を複数の装置で担ったりしてもよい。
【００５５】
具体的には、サーバ３００の代わりに、台間玉貸機１００が、上限データベース３２２や現在情報データベース３２３を記憶してもよい。この場合は、台間玉貸機１００においてローカルで、ＣＰＵ１１１は上限データベース３２２や現在情報データベース３２３を参照して、図１１に示すように、申告された一日の上限金額や、申告された一月の上限金額や、申告された一日の上限時間や、申告された一月の上限時間や、申告された一月の上限来店回数や、当日の利用金額や、当月の利用金額や、当日の遊技時間や、当月の遊技時間や、当月の累積来店回数などをタッチパネル１３０に表示させる。
＜第７の実施の形態＞
【００５６】
あるいは、会員ＩＤカードやビジターカードやＩＣタグやスマートフォンのアプリケーションなどに、申告された一日の上限金額や、申告された一月の上限金額や、申告された一日の上限時間や、申告された一月の上限時間や、申告された一月の上限来店回数や、当日の利用金額や、当月の利用金額や、当日の遊技時間や、当月の遊技時間や、当月の累積来店回数が記憶されてもよい。この場合は、台間玉貸機１００のＣＰＵ１１１は、非接触センサなどを介して会員ＩＤカードやビジターカードの情報を読み出して、申告された一日の上限金額や、申告された一月の上限金額や、申告された一日の上限時間や、申告された一月の上限時間や、申告された一月の上限来店回数や、当日の利用金額や、当月の利用金額や、当日の遊技時間や、当月の遊技時間や、当月の累積来店回数や、上限値に達した旨の警告情報などをタッチパネル１３０に表示させてもよい。
＜まとめ＞
【００５７】
上記の実施の形態においては、台間機１００の操作部１３０を介して、所定期間における、遊技に関する制限の設定を受け付ける、台間機用システム１が提供される。
【００５８】
好ましくは、台間機用システム１は、ユーザを特定するための情報を利用して、当該ユーザ毎の、所定期間における、遊技に関する制限を設定する。
【００５９】
好ましくは、台間機用システム１は、台間機がＩＤカードを受け付けて、当該ＩＤカードに基づいてユーザを特定する。
【００６０】
好ましくは、台間機用システム１は、遊技に関する制限および当該制限に関する現在の情報を台間機に表示する。
【００６１】
好ましくは、台間機用システム１は、遊技に関する制限に達すると、台間機のユーザに対して続行の許可を求める。
【００６２】
上記の実施の形態においては、台間機１００の表示部１３０に、遊技に関する現在時点までの利用金額、時間、来店回数の少なくともいずれかに関する情報を表示する、台間機用システム１が提供される。
【００６３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６４】
１        ：台間機用システム
１００    ：台間玉貸機
１０１    ：状態表示ランプ
１０２    ：紙幣挿入口
１０４    ：払い出しスイッチ
１０５    ：貸出ノズル
１０６    ：メンテナンスタグタッチセンサ
１０７    ：カード挿入排出口
１０８    ：計数機
１１０    ：制御基板
１１１    ：ＣＰＵ
１１２    ：メモリ
１１５    ：紙幣識別機
１１６    ：玉切りユニット
１１７    ：カードリーダライタユニット
１３０    ：タッチパネル
１３１    ：上限申告ボタン
１３２    ：当日上限設定ボタン
１３３    ：ボタン
１３４    ：確定ボタン
１３６    ：当月上限設定ボタン
１３７    ：来店回数設定ボタン
１６０    ：外部接続基板（通信インターフェイス）
１６１    ：接続コネクタ
１６３    ：接続コネクタ
２００    ：遊技台
３００    ：サーバ
３１０    ：ＣＰＵ
３２０    ：メモリ
３２１    ：台間玉貸機データベース
３２２    ：上限データベース
３２２Ｂ  ：上限データベース
３２２Ｃ  ：上限データベース
３２３    ：現在情報データベース
３３０    ：操作部
３６０    ：通信インターフェイス
【図１】
2019136235.tif 000003
【図２】
2019136235.tif 000004
【図３】
2019136235.tif 000005
【図４】
2019136235.tif 000006
【図５】
2019136235.tif 000007
【図６】
2019136235.tif 000008
【図７】
2019136235.tif 000009
【図８】
2019136235.tif 000010
【図９】
2019136235.tif 000011
【図１０】
2019136235.tif 000012
【図１１】
2019136235.tif 000013
【図１２】
2019136235.tif 000014
【図１３】
2019136235.tif 000015
【図１４】
2019136235.tif 000016
【図１５】
2019136235.tif 000017
【図１６】
2019136235.tif 000018
【図１７】
2019136235.tif 000019
【図１８】
2019136235.tif 000020
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
台間機の操作部を介して、ユーザ毎に、所定期間における、遊技に関する金額と時間の制限の申告を受け付けて、
申告された金額と、現在までの遊技に使用した金額と、申告された時間と、現在までの遊技の時間と、を前記台間機に同時に並べて表示させる、台間機用システム。
【請求項２】
前記台間機がＩＤカードを受け付けて、当該ＩＤカードに基づいてユーザを特定する、請求項１に記載の台間機用システム。
【請求項３】
前記遊技に関する制限に達すると、前記台間機のユーザに対して続行の許可を求める、請求項１または２に記載の台間機用システム。
【請求項４】
前記申告の受け付けでは、前記台間機の操作部を介して、ユーザ毎に、前記金額の制限の申告を受け付けるための画面を表示して、前記金額の制限の設定を受け付けると、引き続き、前記時間の制限の申告を受け付けるための画面を表示して、前記時間の制限の設定を受け付ける、請求項１から３のいずれか１項に記載の台間機用システム。